(57)【特許請求の範囲】
【請求項１】
複数の信号線を編込線で覆い、編込線を被覆で覆うことにより構成される高速信号伝送用ケーブルに接続される高速信号伝送用コネクタであって、
前記高速信号伝送用ケーブルを構成する複数の信号線のそれぞれに接続される複数のコンタクト端子と、
前記複数のコンタクト端子を配列して固定するインシュレータと、
前記インシュレータの前記高速信号伝送ケーブル側に配置され、前記高速信号伝送ケーブルの前記複数の信号線を配列し、導電性の材料で形成されるケーブル収納部と、
前記インシュレータおよび前記ケーブル収納部を覆う外部金属シェルと、
前記外部金属シェルの内周部と前記インシュレータの外周部との間に固定される内部金属シェルと、を備え、
前記高速信号伝送用ケーブルの複数の信号線には、芯線がシールド線で覆われた高速信号伝送用の複数の同軸線が含まれることを特徴とする高速信号伝送用コネクタ。
【請求項２】
前記複数の同軸線の周囲を覆い、前記シールド線に接続される複数の導電性を有する金属筒をさらに備えることを特徴とする請求項１に記載の高速信号伝送用コネクタ。
【請求項３】
前記複数の金属筒は、前記外部金属シェルに設けられた接触片により接続されることを特徴とする請求項２に記載の高速信号伝送用コネクタ。
【請求項４】
前記ケーブル収納部は、前記複数の同軸線の周囲にのみ配置されることを特徴とする請求項１に記載の高速信号伝送用コネクタ。
【請求項５】
請求項１記載の高速信号伝送用コネクタに挿抜可能に配されるレセプタクルであって、
前記高速信号伝送用コネクタの前記インシュレータに固定される前記複数のコンタクト端子に電気的に接続されるレセプタクルコンタクト端子と、
前記レセプタクルコンタクト端子を支持するレセプタクルインシュレータと、
前記レセプタクルインシュレータを覆う金属製のレセプタクルシェルと、
を備えることを特徴とするレセプタクル。
【発明の詳細な説明】
【技術分野】
【０００１】
本発明は、高速信号伝送用コネクタに関し、特にＵＳＢ３．１等の高速信号伝送が可能な多芯ケーブルに使用される高速信号伝送用コネクタ、および、レセプタクルに関する。
【背景技術】
【０００２】
情報技術の発達に伴い、パソコン、携帯電話、デジタルカメラ、音楽プレーヤ、カーエレクトロニクス、あるいは、その他の電子デバイスで使用されるコネクタについても、安定した形で信号伝送速度を高速化することが求められている。また、コンピュータ等の情報機器に周辺機器を接続するためのシリアルバス規格の１つであるＵＳＢ（Ｕｎｉｖｅｒｓａｌ  Ｓｅｒｉａｌ  Ｂｕｓ）規格が知られている。
【０００３】
ＵＳＢ規格は、最大転送速度の向上などを求めて何度か規格が拡張されており、これらは１．１から３．１まで上位互換であり、機能や性能が下位規格に縛られることを除けば、下位規格品と上位規格品を接続しても正しく動作することが求められている。最新のＵＳＢ３．１規格では、ＵＳＢ３．０のデータ転送速度５Ｇｂｐｓの「ＳＵＰＥＲ  ＳＰＥＥＤ（Ｇｅｎ  １）」モードに加えて、新たに最大転送速度１０Ｇｂｐｓを誇る「ＳＵＰＥＲ  ＳＰＥＥＤ  ＰＬＵＳ（Ｇｅｎ  ２）」モードが追加されている。また、ＵＳＢ３．１規格では、電気の最大出力が２０Ｖ×５Ａ（１００Ｗ）まで強化されており、これはＵＳＢ３．０の５Ｖ×９００ｍＡ（４．５Ｗ）と比較して約２２倍もの電源供給が可能であり、さらに以前のＵＳＢ２．０規格から比較すると約４０倍にもなり、飛躍的に電源供給能力が高くなっている。また、ＵＳＢ３．１規格には、上下の向きが決まっており、サイズがやや大きいｔｙｐｅＡと、１２ピンが２列並列に並び、上下の向きが決まっておらず、逆向きに差しても機能するｔｙｐｅＣがある。
【０００４】
従来から高速伝送用ケーブルとして、ツイストペアケーブルが使用されてきた。一般に、ツイストペアケーブルには、アンシールデッドツイストペアケーブル（ＵＴＰ）とシールデッドツイストペアケーブル（ＳＴＰ）がある。アンシールデッドツイストペアケーブルは、一対の単線を撚り合わせることにより形成されたケーブルである。アンシールデッドツイストペアケーブルは、単なる平行線と比較して、外部からのノイズの影響を受け難く、ノイズ輻射も少ないといった良好なノイズ性能を有し、または取り回しが容易で安価であることから広く普及している。しかし、アンシールデッドツイストペアケーブルは、同軸ケーブルと比較するとノイズ性能が良いとはいえない。そこで、一対の単線を撚り合わせたものを導電シールドで被覆することによりノイズ性能をより良くしたシールデッドツイストペアケーブルも広く普及している。
【先行技術文献】
【特許文献】
【０００５】
【特許文献１】特許第５０６６２４３号明細書
【発明の概要】
【発明が解決しようとする課題】
【０００６】
特許文献１には、ツイストペアケーブルを利用した多芯ケーブル用の電気コネクタが記載されており、この電気コネクタでは、ツイストペアケーブルの撚り戻し部におけるインピーダンスの増加またはノイズ性能の低下を抑制できることが記載されている。シールデッドツイストペアケーブルでは、ディファレンシャルペア線（２本）とドレイン線をツイストしてアルミ箔等で覆うシールド構造とすることにより高速伝送を実現している。しかし、コネクタと接続する部分は、コンタクトと圧着する必要があるため、アルミ箔を剥ぐ必要があり、アルミ箔を剥ぐことによりツイスト状態でなくなる。特許文献１に記載された電気コネクタでは、コネクタ側において金属などにより上記３本のケーブルをツイストまたは近接状態で覆うことにより、シールド構造を維持している。しかしながら、最終的にコンタクトを配列する際、ペア線とドレイン線の距離が一定でなくなるため、伝送特性の低下が生じてしまうという問題がある。
【０００７】
また、ツイストペアケーブルでは、そもそもシールデッドツイストペアケーブルを利用したとしてもＵＳＢ３．１規格で規定する最大転送速度１０Ｇｂｐｓを達成するのが難しく、高速伝送用の信号線を全て同軸ケーブルにして高速信号伝送を実現することが試みられている。また、同軸ケーブルを使用した場合にも、コネクタ内部でインピーダンスの増加またはノイズ性能の低下を抑制する必要がある。
【０００８】
従って、本発明は、ＵＳＢ３．１等の高速信号伝送用多芯ケーブルに使用される高速信号伝送用コネクタであって、高周波におけるインピーダンス特性及びノイズ性能の低下を抑制することができる高速信号伝送用コネクタ、および、レセプタクルを提供することを目的とする。
【課題を解決するための手段】
【０００９】
上記課題を解決するために、本発明に係る高速信号伝送用コネクタは、複数の信号線を編込線で覆い、編込線を被覆で覆うことにより構成される高速信号伝送用ケーブルに接続される高速信号伝送用コネクタであって、高速信号伝送用ケーブルを構成する複数の信号線のそれぞれに接続される複数のコンタクト端子と、複数のコンタクト端子を配列して固定するインシュレータと、インシュレータの高速信号伝送ケーブル側に配置され、高速信号伝送ケーブルの複数の信号線を配列し、導電性の材料で形成されるケーブル収納部と、インシュレータおよびケーブル収納部を覆う外部金属シェルと、外部金属シェルの内周部とインシュレータの外周部との間に固定される内部金属シェルと、を備え、高速信号伝送用ケーブルの複数の信号線には、芯線がシールド線で覆われた高速信号伝送用の複数の同軸線が含まれることを特徴とする。また、本発明に係るレセプタクルは、上述の高速信号伝送用コネクタに挿抜可能に配されるレセプタクルであって、高速信号伝送用コネクタのインシュレータに固定される複数のコンタクト端子に電気的に接続されるレセプタクルコンタクト端子と、レセプタクルコンタクト端子を支持するレセプタクルインシュレータと、レセプタクルインシュレータを覆う金属製のレセプタクルシェルと、を備えることを特徴とする。
【００１２】
また、上記複数の同軸線の周囲を覆い、上記シールド線に接続される複数の導電性を有する金属筒をさらに備えるものとしてもよい。
【００１３】
また、上記複数の金属筒は、上記外部金属シェルに設けられた接触片により接続されるものとしてもよい。
【００１４】
また、上記ケーブル収納部は、上記複数の同軸線の周囲にのみ配置されるものとしてもよい。
【発明の効果】
【００１５】
本発明によれば、ＵＳＢ３．１等の高速信号伝送用多芯ケーブルに使用される高速信号伝送用コネクタにおいて、高周波におけるインピーダンス特性及びノイズ性能の低下を抑制することができる高速信号伝送用コネクタ、および、レセプタクルを提供することができる。
【図面の簡単な説明】
【００１６】
【図１】本発明の高速信号伝送用コネクタと、レセプタクルが嵌合した状態を示す斜視図である。
【図２】本発明の高速信号伝送用コネクタの斜視図である。
【図３】図２に示す高速信号伝送用コネクタのモールドカバーを取り外した状態を示す斜視図である。
【図４】図３に示す高速信号伝送用コネクタの外部金属シェルを取り外した状態を示す斜視図である。
【図５】図４に示す高速信号伝送用コネクタの内部金属シェルを取り外した状態を示す斜視図である。
【図６】図５に示す高速信号伝送用コネクタのケーブル収納部を取り外した状態を示す斜視図である。
【図７】図７（ａ）は、本発明の高速信号伝送用コネクタの内部金属シェルを示す斜視図であり、図７（ｂ）は、本発明の高速信号伝送用コネクタのケーブル収納部を示す斜視図である。
【図８】図８（ａ）は、本発明の高速信号伝送用コネクタのコンタクト端子を示す図であり、図８（ｂ）は、本発明の高速信号伝送用コネクタの金属板を示す図である。
【図９】図９（ａ）は、複数のコンタクト端子、金属板、内部金属シェルが組み込まれたインシュレータの斜視図であり、図９（ｂ）は、図９（ａ）に示すＩＸｂ−ＩＸｂ線に沿った断面図であり、図９（ｃ）は、図９（ａ）に示すＩＸｃ−ＩＸｃ線に沿った断面図である。
【図１０】本発明の高速信号伝送用コネクタのケーブル収納部を取り付けた場合と取り外した場合のＴＤＲ法によるインピーダンス特性を示す図である。
【図１１】本発明の高速信号伝送用コネクタのケーブル収納部の別の例を示す図である。
【発明を実施するための形態】
【００１７】
以下、本発明の実施形態を、図面を参照して説明する。
【００１８】
尚、以下の説明における上下方向の概念は、添付の図面における上下に対応しており、各部材の相対的な位置関係を示すものであって、絶対的な位置関係を示すものではない。また、以下の説明において、便宜的にコネクタの挿入方向を「先端」と示し、コネクタの挿入方向の逆方向を「後端」と示し、左右方向とは、コネクタの挿入方向に対し直交する方向を「左右」を示すこととするが、絶対的な位置関係を示すものではない。
【００１９】
図１は、本発明の高速信号伝送用コネクタ１００と、レセプタクル２００が嵌合した状態を示す斜視図である。
【００２０】
図１において、本発明の高速信号伝送用コネクタ１００は、実装基板１に実装されたレセプタクル２００に挿抜可能に嵌合される。なお、ここでは説明の都合上、プラグ側コネクタをコネクタと称し、レセプタクル側コネクタをレセプタクルと称する。レセプタクル２００は、複数の金属製のレセプタクルコンタクト端子２０１、絶縁材で形成されレセプタクルコンタクト端子２０１を配列するレセプタクルインシュレータ２０２、及び、レセプタクルインシュレータ２０２の周囲を覆い金属材料で形成されるレセプタクルシェル２０３等から構成されるが、詳細な説明は省略する。
【００２１】
図２は、本発明の高速信号伝送用コネクタ１００の斜視図である。
【００２２】
図２において、本発明の高速信号伝送用コネクタ１００は、ＵＳＢ３．１ケーブル等の高速信号伝送用の多芯ケーブル１０に接続されるコネクタである。なお、本実施形態では、高速信号伝送用コネクタ１００をＵＳＢ３．１ｔｙｐｅＣ規格に適用するように上下２段に１２ピンずつ並列に配列したピン配列のコネクタに適用した例を説明するが、高速信号伝送が可能な多芯ケーブルに使用されるコネクタであれば、これには限定されない。また、本実施形態のＵＳＢ３．１ｔｙｐｅＣ用の高速信号伝送用コネクタ１００のピン配列は、図２に示すように下側中央２箇所にコンタクト端子１０７が配置されていない部分があるが、これは車載用を想定しており車載用では逆差しを許容しない規格であるためであるが、これには限定されない。
【００２３】
高速信号伝送用コネクタ１００は、図２に示すように外部がモールドカバー１０１により覆われている。モールドカバー１０１は、例えば樹脂等の絶縁材により形成され、後述する外部金属シェル１０２の外側に固定される。また、モールドカバー１０１の図２に示す上面側には、ロック機構１０１ａが設けられており、これにより高速信号伝送用コネクタ１００はレセプタクル２００に挿抜可能に嵌合される。
【００２４】
図３は、図２に示す高速信号伝送用コネクタ１００のモールドカバー１０１を取り外した状態を示す斜視図である。
【００２５】
図３において、モールドカバー１０１の内側には、外部金属シェル１０２が配置されている。外部金属シェル１０２は、例えばステンレス等の金属材料で形成され、コネクタ外部に放射されるノイズ、あるいは、コネクタ内部に侵入するノイズを抑制するために、後述する内部金属シェル１０３が配置された後にその外側に固定される。外部金属シェル１０２は、後述する内部金属シェル１０３、ケーブル収納部１０４、及び、インシュレータ１０５等を内部に収容するために略箱型の形状を有しており、後端側には、多芯ケーブル１０の被覆１３の周囲に折り返された編込線１２を圧着して電気的に接続するためのＧＮＤ固定部１０２ａが形成される。
【００２６】
多芯ケーブル１０は、複数の信号線１１を編込線１２で覆い、編込線１２を被覆１３で覆うことにより構成される。複数の信号線１１としては、一般的に、芯線１１ａが被覆１１ｂで覆われた高速伝送用のツイストペアケーブル等が使用できるが、ＵＳＢ３．１では、最大転送速度１０Ｇｂｐｓの「ＳＵＰＥＲ  ＳＰＥＥＤ  ＰＬＵＳ（Ｇｅｎ  ２）」モードを達成する必要があり、高速伝送用の信号線には、芯線１４ａが絶縁材１４ｂを介してシールド線１４ｃで覆われ、その周囲に被覆１４ｄが設けられた同軸線１４を使用することもできる。
【００２７】
また、外部金属シェル１０２の先端側の上部には、上方に向かい９０度折れ曲がり長方形状を有するモールドカバー保持部１０２ｂが形成される。モールドカバー保持部１０２ｂは、後端側から挿入されたモールドカバー１０１の先端側を保持する。
【００２８】
また、外部金属シェル１０２には、図３に示す上面および下面の中央付近に２箇所ずつ略箱形状の外部金属シェル１０２の内側に折れ曲がりばね性を有し例えば長方形状を有する４カ所の接触片１０２ｃが設けられている。４カ所の接触片１０２ｃは、そのばね性により、後述する複数の同軸線１４の周囲に設けられ、同軸線１４の被覆１４ｄの周囲に折り返されるか、または、被覆１４ｄをストリップして、その下から顕れたシールド線１４ｃに接続された複数の金属筒１０６に接触される。金属筒１０６が外部金属シェル１０２の接触片１０２ｃと接触されることにより、ＧＮＤ接続が強固となり、高周波ノイズの放射と侵入のさらなる抑制が見込まれる。なお、ここでは、接触片１０２ｃが４ヶ所の長方形状に設けられるものとしたが、この数、この形状には限定されない。
【００２９】
図４は、図３に示す高速信号伝送用コネクタ１００の外部金属シェル１０２を取り外した状態を示す斜視図である。
【００３０】
図４において、外部金属シェル１０２の内側には、ステンレス等の金属材料で形成された内部金属シェル１０３と、ケーブル収納部１０４が配置される。内部金属シェル１０３は、後述する複数のコンタクト端子１０７が挿入されて固定されたインシュレータ１０５の外側に固定され、複数のコンタクト端子１０７の周辺のノイズの放射と侵入を抑制する。内部金属シェル１０３には、複数のコンタクト端子１０７のうちの幾つかに電気的に接触するための複数の外部接点１０３ａが設けられるが、詳細な説明は図７（ａ）を使用して後述する。
【００３１】
図５は、図４に示す高速信号伝送用コネクタ１００の内部金属シェル１０３を取り外した状態を示す斜視図である。
【００３２】
図５において、内部金属シェル１０３の内側には、インシュレータ１０５が配置され、その後端側にはケーブル収納部１０４が配置される。ケーブル収納部１０４は、ダイキャスト等の導電性の材料で形成され、ＵＳＢ３．１で規定される最大転送速度１０Ｇｂｐｓを達成するために問題となる高速信号伝送時における高周波のインピーダンス特性、及びノイズ性能の低下を抑制するために設けられる。ケーブル収納部１０４を設けることにより、後述する図１０に示す効果がある。ケーブル収納部１０４の形状は、後述する図７（ｂ）に示されるが、詳細な説明は後述する。
【００３３】
図６は、図５に示す高速信号伝送用コネクタ１００のケーブル収納部１０４を取り外した状態を示す斜視図である。
【００３４】
図６において、インシュレータ１０５は、樹脂等の絶縁材料で形成され、多芯ケーブル１０の複数の信号線１１の芯線１１ａ、及び、同軸線１４の芯線１４ａに接続された複数のコンタクト端子１０７が挿入され、固定される。高速伝送用の信号線である複数の同軸線１４の周囲には、真鍮やステンレスなどの金属材料で形成された複数の金属筒１０６が設けられる。金属筒１０６は、圧着前にＵ字形状に形成され、同軸線１４の周囲に嵌め込まれた後、被覆１４ｄの下から顕れたシールド線１４ｃに圧着され、筒形状に形成されるか、同軸線１４の被覆１４ｄの下から顕れたシールド線１４ｃにはんだ付けすること等により電気的に接続される。金属筒１０６を設けることにより、高速信号伝送時に問題となる高周波伝送時のインピーダンス特性、及びノイズ性能の低下を抑制する効果がある。
【００３５】
インシュレータ１０５の１２ピンを上下二段に並列に配列された複数のコンタクト端子１０７を上下に分ける位置には、ステンレス等の金属材料で形成された金属板１０８が挿入される。金属板１０８には、後述する図８（ｂ）に示されるように複数のコンタクト端子１０７のうちの幾つかに電気的に接触するための複数の内部接点１０８ａが設けられるが、詳細な説明は後述する。
【００３６】
図７（ａ）は、本発明の高速信号伝送用コネクタ１００の内部金属シェル１０３を示す斜視図であり、図７（ｂ）は、本発明の高速信号伝送用コネクタ１００のケーブル収納部１０４を示す斜視図である。
【００３７】
図７（ａ）において、内部金属シェル１０３は、ステンレス等の金属材料で形成され、複数のコンタクト端子１０７のうちの幾つかに電気的に接触するための複数の外部接点１０３ａを備える。複数の外部接点１０３ａに接続された幾つかのコンタクト端子１０７は、電気的に共用可能となる。これにより、はんだ付け等の定量的でない接続を避けることができ、容易に安定したコンタクト端子１０７間の接続を実現できる。なお、多芯ケーブル１０の信号線１１、及び、同軸線１４は、共用可能となった幾つかのコンタクト端子１０７のうちの１つに接続すればよい。また、本実施形態では、ＵＳＢ３．１ｔｙｐｅＣのピン配列表に準拠し、上下二段に１２ピンずつ並列に配列された各段の両端に配列された４本のピンをＧＮＤピンとして共用可能に接続し、これら４本のピンに対応する位置に複数の外部接点１０３ａが設けられるが、これらの位置、あるいは、本数には限定されない。また、複数の外部接点１０３ａが先端側に向かい延び、ばね性を有する板状の突起片であるものとしたがこれには限定されず、複数のコンタクト端子１０７に電気的に接触できる形状であればよい。
【００３８】
図７（ｂ）において、ケーブル収納部１０４は、ダイキャスト等の導電性の材料で形成される。ケーブル収納部１０４には、複数の溝１０４ａが形成され、インシュレータ１０５に挿入された複数のコンタクト端子１０７に接続された多芯ケーブル１０の複数の信号線１１、及び、同軸線１４がインシュレータ１０５の後端側において配列される形状に形成される。なお、ここでは、ＵＳＢ３．１ｔｙｐｅＣのピン配列表に準拠し、上下二段に１２ピンずつ並列に配列されたピン配列に適合するように複数の溝１０４ａが形成されるものとしたが、これには限定されず、多芯ケーブル１０に含まれる複数の信号線１１、あるいは、同軸線１４の本数に合わせて複数の溝１０４ａが形成されればよい。また、ここではケーブル収納部１０４の材料として軽量化のためにダイキャストを使用するものとしたが、これには限定されずコネクタ内部のうち複数のコンタクト端子１０７の後端側の部分を導電性の材料で埋めることができれば、これには限定されない。また、後述する図１１に示すように、高速伝送用の信号線として使用される同軸線１４の周辺にのみ、ケーブル収納部１０４を配置するものとしてもよい。
【００３９】
図８（ａ）は、本発明の高速信号伝送用コネクタ１００のコンタクト端子１０７を示す図であり、図８（ｂ）は、本発明の高速信号伝送用コネクタの金属板１０８を示す図である。
【００４０】
図８（ａ）において、コンタクト端子１０７は、銅等の金属で形成され、コネクタ嵌合時にレセプタクルコンタクト端子２０１と接触する略四角柱形状のコンタクト部１０７ａと、多芯ケーブル１０の信号線１１の芯線１１ａ、及び、同軸線１４の芯線１４ａを圧着により固定する圧着部１０７ｂと、信号線１１の被覆１１ｂ、及び、同軸線１４の絶縁材１４ｂを固定する固定部１０７ｃとを備える。なお、上述のように共用可能とされる幾つかのコンタクト端子１０７には、内部金属シェル１０３、あるいは、金属板１０８が接触されるため、多芯ケーブル１０の信号線１１、及び、同軸線１４のうちの１本が接続されればよい。
【００４１】
図８（ｂ）において、金属板１０８は、ステンレス等の金属材料で形成され、複数のコンタクト端子１０７のうちの幾つかに電気的に接触するための複数の内部接点１０８ａを備える。複数の内部接点１０８ａに接続された幾つかのコンタクト端子１０７は、電気的に共用可能となる。これにより、はんだ付け等の定量的でない接続を避けることができ、容易に安定したコンタクト端子１０７間の接続を実現できる。なお、多芯ケーブル１０の信号線１１、及び、同軸線１４は、共用可能となった幾つかのコンタクト端子１０７のうちの１つに接続すればよい。また、本実施形態では、ＵＳＢ３．１ｔｙｐｅＣのピン配列表に準拠し、上下二段に１２ピンずつ並列に配列された各段の４番目と９番目に配列された４本のピンを電源ピンとして共用可能に接続し、これら４本のピンに対応する位置に複数の内部接点１０８ａが設けられるが、これらの位置、あるいは、本数には限定されない。また、本実施形態では、金属板１０８が金属材料を折り曲げて２枚密着曲げに形成され上下に複数の内部接点１０８ａを設けるものとしたが、これには限定されない。また複数の内部接点１０８ａが後端側に向かい延び、ばね性を有する板状の突起片であるものとしたがこれには限定されず、複数のコンタクト端子１０７に電気的に接触できる形状であればよい。
【００４２】
図９（ａ）は、複数のコンタクト端子１０７、金属板１０８、内部金属シェル１０３が組み込まれたインシュレータ１０５の斜視図であり、図９（ｂ）は、図９（ａ）に示すＩＸｂ−ＩＸｂ線に沿った断面図であり、図９（ｃ）は、図９（ａ）に示すＩＸｃ−ＩＸｃ線に沿った断面図である。
【００４３】
上述したように、図９（ｂ）において、金属板１０８に設けられた複数の内部接点１０８ａは、複数のコンタクト端子１０７の幾つかに電気的に接触され、接触された幾つかのコンタクト端子１０７が電気的に共用可能となる。同様に、図９（ｃ）において、内部金属シェル１０３に設けられた複数の外部接点１０３ａは、複数のコンタクト端子１０７の幾つかに電気的に接触され、接触された幾つかのコンタクト端子１０７が電気的に共用可能となる。
【００４４】
図１０は、本発明の高速信号伝送用コネクタ１００のケーブル収納部１０４を取り付けた場合と取り外した場合のＴＤＲ法によるインピーダンス特性を示す図である。
【００４５】
図１０において、横軸は時間（ｓ）を示し、縦軸はインピーダンス（Ω）を示し、実線はケーブル収納部１０４を取り付けた場合を示し、点線はケーブル収納部１０４を取り外した場合を示す。ＴＤＲ（Ｔｉｍｅ  Ｄｏｍａｉｎ  Ｒｅｆｌｅｃｔｏｍｅｔｒｙ：時間領域反射）法は、ケーブルやプリント基板の配線などのインピーダンス特性を測定する手法である。ＴＤＲ法により、伝送線路上の任意の位置におけるインピーダンス特性がわかるため、ケーブル、プリント基板、その他部品の性能を評価できる。
【００４６】
図１０に示すように、点線のケーブル収納部１０４を取り外した場合には、インピーダンスが一定値を超える２箇所のピークを有することがわかるが、実線のケーブル収納部１０４を取り付けた場合には、２箇所のピークが小さくなり改善されていることがわかる。このことから本発明の高速信号伝送用コネクタ１００は、ダイキャスト等の導電性の材料で形成されたケーブル収納部１０４を設けることにより高周波におけるインピーダンス特性が改善されることがわかる。
【００４７】
図１１は、本発明の高速信号伝送用コネクタ１００のケーブル収納部の別の例１０４Ａを示す図である。
【００４８】
図１１において、ケーブル収納部１０４Ａは、高速伝送用の信号線である複数の同軸線１４が配置される左右両端にのみ配置され、高速伝送が要求されない複数の信号線１１が配置される中央付近には配置されない。このような形状とすることによっても、上述の図１０に示すようなケーブル収納部１０４と同等の効果が得られる。なお、図７（ｂ）にケーブル収納部１０４、及び、図１１にケーブル収納部１０４Ａをそれぞれ示したが、ケーブル収納部の形状は、これらの形状には限定されない。
【００４９】
以上のように、本発明の高速信号伝送用コネクタによれば、ＵＳＢ３．１等の高速信号伝送用多芯ケーブルに使用される高速信号伝送用コネクタにおいて、高周波におけるインピーダンス特性及びノイズ性能の低下を抑制することができる。
【符号の説明】
【００５０】
１  実装基板
１０  多芯ケーブル
１１  信号線
１１ａ、１４ａ  芯線
１１ｂ、１３、１４ｄ  被覆
１２  編込線
１４  同軸線
１４ｂ  絶縁材
１４ｃ  シールド線
１００  高速信号伝送用コネクタ
１０１  モールドカバー
１０２  外部金属シェル
１０３  内部金属シェル
１０３ａ  外部接点
１０４、１０４Ａ  ケーブル収納部
１０５  インシュレータ
１０６  金属筒
１０７  コンタクト端子
１０８  金属板
１０８ａ  内部接点
２００  レセプタクル
２０１  レセプタクルコンタクト端子
２０２  レセプタクルインシュレータ
２０３  レセプタクルシェル
【図１】
0006610295.tif 000002
【図２】
0006610295.tif 000003
【図３】
0006610295.tif 000004
【図４】
0006610295.tif 000005
【図５】
0006610295.tif 000006
【図６】
0006610295.tif 000007
【図７】
0006610295.tif 000008
【図８】
0006610295.tif 000009
【図９】
0006610295.tif 000010
【図１０】
0006610295.tif 000011
【図１１】
0006610295.tif 000012